(57)【特許請求の範囲】
【請求項１】
洗濯機本体上部に配置し略中央部に衣類投入口を形成した上面カバーと、前記衣類投入口を開閉自在に覆うように配設された折り畳み可能な２枚折れ蓋構造の蓋体と、を備え、前記蓋体は、前部に設けられた前蓋体と後部に設けられた後蓋体とから構成し、前記前蓋体は、前記前蓋体の上面を形成し凹凸のない平板状の前蓋と下面を形成し前接着面を一体形成した前蓋当て板とから構成し、前記後蓋体は、前記後蓋体の上面を形成し凹凸のない平板状の後蓋と下面を形成し後接着面を一体形成した後蓋当て板とから構成し、前記前蓋および前記後蓋は、前記前接着面、前記後接着面に接着部材を介して接着固定され、前記前蓋当て板と前記後蓋当て板には、前記接着部材と干渉しない位置に、前記前蓋の裏面と前記後蓋の裏面との隙間に支えリブを一体形成し、前記前蓋と前記前蓋当て板、前記後蓋と前記後蓋当て板のいずれか一方、または両方の組み合わせが、異なる材料により構成され、前記接着部材は、基材がアクリル材料製であり、厚み０．３ｍｍ以上の両面テープで構成した洗濯機。
【請求項２】
前蓋当て板と後蓋当て板のいずれか一方、または両方に、少なくとも１箇所以上の水抜き孔を設けた請求項１に記載の洗濯機。
【請求項３】
前蓋当て板と後蓋当て板のいずれか一方、または両方に形成した水抜き孔の少なくとも１箇所は、蓋体を開いた際に、前記蓋体に浸入した液体が下方に移動できるような位置関係に配置した請求項２に記載の洗濯機。
【請求項４】
前蓋当て板と後蓋当て板のいずれか一方、または両方に形成した水抜き孔の少なくとも１箇所は、外観から見えない位置に配置された請求項２または３に記載の洗濯機。
【発明の詳細な説明】
【技術分野】
【０００１】
本発明は、洗濯機本体の上面に、折れ蓋構成の蓋装置を備えた洗濯機に関するものである。
【背景技術】
【０００２】
従来、この種の洗濯機の蓋装置は、折り畳み可能とするために、透明部を有する前蓋および透明部を有する後蓋に軸受部や嵌合部を一体形成し、裏面より不透明部材を装着する構成が提案されている。（例えば、特許文献１参照）。
【０００３】
図１４は、特許文献１に記載された従来の洗濯機の外観斜視図、図１５は、同洗濯機の蓋体の外観斜視図、図１６は、同洗濯機の蓋体の断面図、図１７は、同洗濯機の蓋体の分解斜視図である。
【０００４】
図１４において、洗濯機本体１３１の上面を被覆する上面カバー１３２の略中央部には開閉自在に蓋体１３３を配置する。蓋体１３３は、前蓋体１３４と後蓋体１３５を略中央部１３６にて、後述する軸支構造１５３で折り畳み可能に構成し、前蓋体１３４の中央部１３４ａと後蓋体１３５の中央部１３５ａは透明構造とし、洗濯機本体１３１内部を視認可能にしている。
【０００５】
また、後蓋体１３５と対向する位置であって前蓋体１３４の前方部に配され、前蓋体１３４の洗濯機本体１３１の前方上部の操作表示パネル１３８に近接した位置に配した把手部１３７を上方に操作することで、蓋開き状態とすることができる。
【０００６】
図１５において、前蓋体１３４は、把手部１３７を有し透明材質で略半円形状の前蓋１４０と、前蓋１４０の裏面から装着される不透明部材で略馬蹄形状の前蓋当て板１４１で構成され、後蓋体１３５は、透明材質で略台形形状の後蓋１４２と、後蓋１４２の裏面から装着され、かつ、中央に開口１４３を有し外形形状が後蓋１４２の形状に近似する後蓋当て板１４４で構成される。
【０００７】
図１６において、前蓋１４０と後蓋１４２とを回動自在に軸支した軸支構造１５３の折れ蓋を構成する内容を説明する。
【０００８】
前蓋１４０には、貫通する孔で構成する軸受部１４６を有する軸受リブ１４７を後ろ壁１５０後方に複数個一体形成し、一方、後蓋１４２の裏面下側から装着した後蓋当て板１４４には、前蓋１４０の軸受部１４６に対応する位置に、支持軸１４５を有する支持軸リブ１４９が一体形成されている。
【０００９】
支持軸１４５を軸受部１４６に装着して、前蓋１４０と後蓋１４２が回動自在となり軸支構造１５３が構成されている。
【００１０】
図１７において、透明材質で略台形形状の平板上の後蓋１４２は、その裏面から不透明の後蓋当て板１４４を装着され、後蓋当て板１４４の中央に開口１４３を介して、下方が透視できる。
【００１１】
また、把手部１３７を前方に形成した透明材質の前蓋１４０も、裏面から装着される不透明の略馬蹄形状の前蓋当て板１４１を除く中央部より、下方が透視できる。
【００１２】
なお、図示されていないが、前蓋１４０と前蓋当て板１４１および後蓋１４２と後蓋当て板１４４とは、溶着、接着、勘合や嵌め込み等の一般的な加工で装着されている。
【先行技術文献】
【特許文献】
【００１３】
【特許文献１】特開２０１１−２００２７４号公報
【発明の概要】
【発明が解決しようとする課題】
【００１４】
しかしながら、前記従来の構成では、嵌合部に段差が生じるので、外観性、お手入れ性が悪化するという課題があった。
【００１５】
また、前蓋当て板１４１および後蓋当て板１４４には、水抜き孔が設置されていないので、前蓋１４０と前蓋当て板１４１の隙間、後蓋１４２と後蓋当て板１４４の隙間より、水、または洗剤等の液体が浸入した場合、浸入した液体が滞留し、部品の劣化や、前蓋１４０と前蓋当て板１４１、後ろ蓋１４２と後蓋当て板１４４を接着部材で接合する構成の場合は、接着部材の劣化を引き起こす虞があるという課題があった。
【００１６】
また、前蓋１４０と前蓋当て板１４１、後ろ蓋１４２と後蓋当て板１４４が異種材料の場合、雰囲気温度の変化による部材の熱膨張収縮量も異なるので、固定部に大きな応力が掛かり、部品が破損、変形する虞があるという課題があった。
【００１７】
本発明は、上記従来の課題を解決するもので、蓋装置の外観性、お手入れ性の向上だけでなく、耐久性、省コスト性を向上した洗濯機を提供することを目的としている。
【課題を解決するための手段】
【００１８】
前記従来の課題を解決するために、本発明の洗濯機は、洗濯機本体上部に配置し略中央
部に衣類投入口を形成した上面カバーと、前記衣類投入口を開閉自在に覆うように配設された折り畳み可能な２枚折れ蓋構造の蓋体と、を備え、前記蓋体は、前部に設けられた前蓋体と後部に設けられた後蓋体とから構成し、前記前蓋体は、前記前蓋体の上面を形成し凹凸のない平板状の前蓋と下面を形成し前接着面を一体形成した前蓋当て板とから構成し、前記後蓋体は、前記後蓋体の上面を形成し凹凸のない平板状の後蓋と下面を形成し後接着面を一体形成した後蓋当て板とから構成し、前記前蓋および前記後蓋は、前記前接着面、前記後接着面に接着部材を介して接着固定され、前記前蓋当て板と前記後蓋当て板には、前記接着部材と干渉しない位置に、前記前蓋の裏面と前記後蓋の裏面との隙間に支えリブを一体形成し、前記前蓋と前記前蓋当て板、前記後蓋と前記後蓋当て板のいずれか一方、または両方の組み合わせが、異なる材料により構成され、前記接着部材は、基材がアクリル材料製であり、厚み０．３ｍｍ以上の両面テープで構成したものである。
【００１９】
これにより、前蓋および後蓋は、嵌合部等の凹凸のない形状に構成することができ、外観性、お手入れ性を向上することができる。
【発明の効果】
【００２０】
本発明の洗濯機は、嵌合部等の凹凸のない形状に構成された前蓋および後蓋を接着部材により固定することで、外観性、お手入れ性を高めることができる。
【図面の簡単な説明】
【００２１】
【図１】本発明の実施の形態における洗濯機の外観斜視図
【図２】同洗濯機の蓋体が開いた時の外観斜視図
【図３】同洗濯機の蓋体の分解斜視図
【図４】（ａ）同洗濯機の蓋体の断面図、（ｂ）同（ａ）におけるＢ部の拡大図、（ｃ）同（ａ）におけるＣ部の拡大図
【図５】同洗濯機の蓋体の後方から見た分解斜視図
【図６】（ａ）同洗濯機の蓋体の平面図、（ｂ）同平面図の要部拡大図
【図７】同洗濯機の蓋体のＤ−Ｄ断面図
【図８】同洗濯機の蓋体のＦ−Ｆ断面図
【図９】同洗濯機の蓋体のＥ−Ｅ断面図
【図１０】同洗濯機の蓋体のＧ−Ｇ断面図
【図１１】同洗濯機の蓋体から前蓋および後蓋を取り外した斜視図
【図１２】同洗濯機の蓋体の平面図
【図１３】同洗濯機の蓋体のＨ−Ｈ断面図
【図１４】従来の洗濯機の外観斜視図
【図１５】同洗濯機の蓋体の外観斜視図
【図１６】同洗濯機の蓋体の断面図
【図１７】同洗濯機の蓋体の分解斜視図
【発明を実施するための形態】
【００２２】
第１の発明は、洗濯機本体上部に配置し、略中央部に衣類投入口を形成した上面カバーと、前記衣類投入口を開閉自在に覆うように配設された折り畳み可能な２枚折れ蓋構造の蓋体と、を備え、前記蓋体は、前部に設けられた前蓋体と後部に設けられた後蓋体とから構成し、前記前蓋体は、前記前蓋体の上面を形成する前蓋と下面を形成し前接着面を一体形成した前蓋当て板とから構成し、前記後蓋体は、前記後蓋体の上面を形成する後蓋と下面を形成し前接着面を一体形成した後蓋当て板とから構成し、前記前蓋および前記後蓋は、前記前接着面、前記後接着面に接着部材を介して接着固定されたものである。
【００２３】
これにより、前蓋および後蓋は、嵌合部等の凹凸のない形状に構成することができ、外観性、お手入れ性を高めることができ、外観品位を維持したまま、接着部材の使用量を低減でき、商品を低コスト化することができ、さらに、接着部材が温度変化による異種材料の膨張収縮に追従するので、応力を緩和することができ、商品の耐久性、安全性を向上することができる。
【００２４】
第２の発明は、第１の発明において、前蓋当て板と後蓋当て板のいずれか一方、または両方に、少なくとも１箇所以上の水抜き孔を設けたことにより、水または洗剤等の液体が蓋体に浸入した場合でも、浸入した液体は長時間滞留することなく、水抜き孔より排出されるので、前蓋当て板、後蓋当て板、前蓋、後蓋および接着部材の劣化を低減することでき、商品の耐久性、安全性を高めることができる。
【００２５】
第３の発明は、第２の発明において、前蓋当て板と後蓋当て板のいずれか一方、または両方に形成した水抜き孔の少なくとも１箇所は、蓋体を開いた際に、前記蓋体に浸入した液体が下方に移動できるような位置関係に配置したことにより、洗濯機使用時の蓋体を開くという日常動作で、蓋体に浸入した液体が、積極的に前記水抜き孔より排出されるので、前蓋当て板、後蓋当て板、前蓋、後蓋および接着部材の劣化を低減することでき、商品の耐久性、安全性を高めることができる。
【００２６】
第４の発明は、第２または第３の発明において、前蓋当て板と後蓋当て板のいずれか一方、または両方に形成した水抜き孔の少なくとも１箇所は、外観から見えない位置に配置されたことにより、外観性が低下することがなくなり、商品価値を高めることができる。
【００２９】
以下、本発明の実施の形態について、図面を参照しながら説明する。なお、この実施の形態によって本発明が限定されるものではない。
【００３０】
（実施の形態１）
図１は、本発明の実施の形態における洗濯機の外観斜視図、図２は、同洗濯機の蓋体が開いた状態の外観斜視図を示すものである。
【００３１】
図１、図２に示すように、洗濯機本体３１の上部には、上面カバー３２が配置され、上面カバー３２の略中央部には、衣類投入口８６が形成されており、衣類投入口８６を開閉自在に覆うように蓋体３３が配置されている。なお、上面カバー３２は、後部が高く前部が低い形状となっており、このため、蓋体３３の上面は、前面側に向かって漸次低くなるように傾斜した状態となっている。
【００３２】
また、蓋体３３は、前蓋体３４と後蓋体３５を、略中央部３６にて、軸支部３６で折り畳み可能な２枚折れ蓋に構成し、後蓋体３５の中央部３５ｂは透明構造として、洗濯機本体３１内部を視認可能にしている。
【００３３】
蓋体３３は、前蓋体３４の後方部に配した把手部３７を持ち上げつつ後方に押し込む操作にて、軸支部３６で屈曲させつつ開いた状態となり、内部の洗濯槽３９に衣類等の洗濯物の投入や、洗剤の投入が可能になる。
【００３４】
また、蓋体３３を閉じた状態、すなわち前蓋体３４と後蓋体３５とが折れ蓋状態ではなく、前蓋体３４と後蓋体３５とで１つの面を形成する状態では、上述のように、透明構造の中央部３５ｂから内部の洗濯槽３９の状況、たとえば、衣類の動き等を視認することが可能な構成となっている。
【００３５】
なお、蓋体３３を軸支部３６で折り畳み可能にしている理由は、蓋体３３を開いた際に衣類の投入や取り出し作業をしやすくするために、蓋体３３を大型化した際に、一枚構造では開き時の高さが高くなりすぎて操作性が低下することを避けるためと、洗濯機設置場所の上方のスペースで他の部材との干渉を避けるためである。
【００３６】
図３は、本発明の実施の形態における洗濯機の蓋体の分解斜視図、図４（ａ）は、同洗濯機の蓋体の断面図、（ｂ）は同（ａ）におけるＢ部の拡大図、（ｃ）は同（ａ）におけるＣ部の拡大図、図５は、同洗濯機の蓋体の後方から見た分解斜視図、図６（ａ）は同洗濯機の蓋体の平面図、（ｂ）は同平面図の要部拡大図、図７は、同洗濯機の蓋体のＤ−Ｄ断面図、図８は、同洗濯機の蓋体のＦ−Ｆ断面図、図９は、同洗濯機の蓋体のＥ−Ｅ断面図、図１０は、同洗濯機の蓋体のＧ−Ｇ断面図、図１１は、同洗濯機の蓋体から前蓋および後蓋を取り外した斜視図、図１２は、同洗濯機の蓋体の平面図、図１３は、同洗濯機の蓋体のＨ−Ｈ断面図である。
【００３７】
図３において、前蓋体３４は、把手部３７を有し、略馬蹄形状の前蓋当て板４１と、把手部３７の裏面から装着される把手部当て板５５と、前蓋当て板４１に形成される前接着面４１ａに接着部材６０を介して固定される略馬蹄形状の前蓋４０で構成され、後蓋体３５は、略長方形形状の後蓋当て板４４と、後蓋当て板４４に形成される後接着面４４ａに接着部材６０を介して固定される略長方形形状の後蓋４２で構成されている。
【００３８】
上記の前蓋４０および後蓋４２は、接着部材６０によって接着固定されているため、嵌
合部等の凹凸のない形状に構成することができ、外観性、お手入れ性を高めることができる。
【００３９】
また、後蓋体３５の上面に接着された後蓋４２は、前述のように、中央部３５ｂが透明構造となっており、後蓋当て板４１に形成された開口部８５を介して洗濯槽３９内部を視認できるようになっている。
【００４０】
図４（ａ）、（ｂ）、（ｃ）において、前蓋４０と前蓋当て板４１、または後蓋４２と後蓋当て板４４の隙間から、万が一、水、または洗剤等の液体が浸入(図４（ｂ）、（ｃ）の実線矢印Ｄ１、Ｄ２、Ｄ３)した場合には、前蓋当て板４１および後蓋当て板４４の裏面に形成された第１水抜き孔Ａ７０ａ、第１水抜き孔Ｂ７０ｂ、第１水抜き孔Ｃ７０ｃから排出される。
【００４１】
図５において、後蓋当て板４４は、後接着面４４ａと裏面部４４ｂを第１補強リブ８１および第２補強リブ８２により複数箇所繋げるように形成され、第１補強リブ８１と第２補強リブ８２で囲まれた部分にそれぞれ第１溝９１、第２溝９２が形成される。
【００４２】
図６（ａ）、（ｂ）、図７、図８、図９および図１０において、後蓋４２と後蓋当て板４４の横側の隙間から、万が一、水、または洗剤等の液体が第１溝９１に浸入（図７の実線矢印Ｄ４）した場合には、蓋体３３が閉じた状態で前方に傾斜しているため、浸入した液体は、前方へ移動し、第１溝９１に設けられた第２水抜き孔７１から排出（図８の実線矢印Ｄ５）される。
【００４３】
また、第２水抜き孔７１は、後蓋体３５の透明部３５ｂから離れた位置で第１溝９１に設けられているので、使用者がよく見る状態である斜め前方上方から後蓋体３５の中央部３５ｂの透明構造を通して槽内を視認した際に、第２水抜き孔７１が見えないようになっている。
【００４４】
また、後蓋４２と後蓋当て板４４の後側の隙間から、万が一、水、または洗剤等の液体が第２溝９２に浸入(図１０の実線矢印Ｄ６)した場合には、蓋体３３を開いた状態で、第１溝９１に設けられた第３水抜き孔７２から排出(図９の実線矢印Ｄ７)される。
【００４５】
また、第３水抜き孔７２は、蓋体３３を閉じた状態で、中央部３５ｂの透明構造を通しても、外方から見えないようになっている。
【００４６】
図１１、図１２、図１３に示すように、前蓋当て板４１と後蓋当て板４４は、接着部材６０と干渉しない部分において、それぞれ前蓋４０の裏面、後蓋４２の裏面との隙間に第１支えリブ８３、第２支えリブ８４が一体形成されている。これにより、前蓋当て板４１と前蓋４０の裏面、または、後蓋当て板４４と後蓋４２の裏面の間に生じる接着部材６０の厚み分の隙間（図１３の隙間Ｊ）をリブの高さ分小さくすることができ、前蓋４０または、後蓋４２を押下（図１２のＦ方向）したときにベコツキ、変形を防止している。
【００４７】
なお、本実施の形態では、接着部材６０は、異材料の前蓋４０と前蓋当て板４１、および、 後蓋４２と後蓋当て板４４の雰囲気温度の変化による熱膨張収縮に追従することができるように、基材がアクリル製、厚み０．３ｍｍ以上で構成されている。
【００４８】
以上のように、本実施に形態においては、前蓋体３４の下面を形成する前蓋当て板４１と後蓋体３５の下面を形成する後蓋当て板４４は、それぞれ少なくとも１箇所以上の水抜き孔７０、７１、７２を有し、水抜き孔７０、７１、７２は、前蓋４０と前蓋当て板４１の隙間、および、後蓋４２と後蓋当て板４４の隙間から浸入した液体が、蓋体３３を開い
た際に、下方に移動して排出されるような位置で、かつ、透明構造である後蓋４２の中央部３５ｂからは視認できない配置された構成としたことにより、前蓋体３４および後蓋体３５は、上面側に嵌合部等の凹凸のない形状で構成することができるともに、蓋体３３内部の適切な位置に水抜き孔を設けることで、蓋体３３内に浸入した水などの液体が、積極的に水抜き孔より排出されるので、前蓋当て板４１、後蓋当て板４４、前蓋４０、後蓋４２および接着部材６０の劣化を低減することでき、外観性、お手入れ性を高め、耐久性、省コスト性を向上することができる。
【００４９】
また、前蓋当て板４１と後蓋当て板４４は、接着部材６０と干渉しない部分において、それぞれ前蓋４０の裏面、後蓋４２の裏面との隙間に支えリブ８３、８４を一体形成した構成としたことにより、前蓋４０または、後蓋４２を押下したときにベコツキ、変形が発生しにくくなるので、外観品位を維持したまま、接着部材６０の使用量を低減でき、商品を低コスト化することができる。
【００５０】
また、接着部材６０は、前蓋４０と前蓋当て板４１、後蓋４２と後蓋当て板４４のいずれか、または両方の組み合わせが、異種材料の構成において、基材がアクリル材料製、厚み０．３ｍｍ以上の両面テープで構成したことにより、接着部材が温度変化による異種材料の膨張収縮に追従するので、応力を緩和することができ、商品の耐久性、安全性を向上することができる。
【産業上の利用可能性】
【００５１】
以上のように、本発明にかかる洗濯機は、蓋体が表面側に嵌合部等の凹凸のない形状で構成するとともに、蓋体内部の適切な位置に水抜き孔を設けることで、外観性、お手入れ性に加え、耐久性、省コスト性を高めることが可能となるので、蓋体を有する他の家庭用電化機器の用途に適用できる。
【符号の説明】
【００５２】
３１  洗濯機本体
３２  上面カバー
３３  蓋体
３４  前蓋体
３５  後蓋体
３５ｂ  中央部
４０  前蓋
４１  前蓋当て板
４２  後蓋
４４  後蓋当て板
６０  接着部材
７０ａ  水抜き孔（第１水抜き孔）
７０ｂ  水抜き孔（第１水抜き孔）
７０ｃ  水抜き孔（第１水抜き孔）
７１  水抜き孔（第２水抜き孔）
７２  水抜き孔（第３水抜き孔）
８３  支えリブ（第１支えリブ）
８４  支えリブ（第２支えリブ）
８５  開口部
８６  衣類投入口
【図１】
0006715436.tif 000002
【図２】
0006715436.tif 000003
【図３】
0006715436.tif 000004
【図４】
0006715436.tif 000005
【図５】
0006715436.tif 000006
【図６】
0006715436.tif 000007
【図７】
0006715436.tif 000008
【図８】
0006715436.tif 000009
【図９】
0006715436.tif 000010
【図１０】
0006715436.tif 000011
【図１１】
0006715436.tif 000012
【図１２】
0006715436.tif 000013
【図１３】
0006715436.tif 000014
【図１４】
0006715436.tif 000015
【図１５】
0006715436.tif 000016
【図１６】
0006715436.tif 000017
【図１７】
0006715436.tif 000018